(57)【要約】  【課題】冷蔵室のドア開閉が増加する夏場においても、製氷室の能力を確保する冷蔵庫提供することを目的とする。  【解決手段】第１の冷却器１７で冷蔵室２のみを冷却し、第２の冷却器２０で冷蔵室以外の製氷室４、切替室３、野菜室６及び冷凍室５を冷却するようにし、野菜室６の冷却に専用風路を設けたことにより、夏場冷蔵室２のドア開閉が増え冷蔵室２に暖湿気が流入しても製氷室４を冷却する第２の冷却器２０は影響を受けず製氷室４の能力を確保することができ、野菜室６の温度を保つことができ、野菜室６内に貯蔵する野菜等の食品の保鮮性を向上させることができる。【選択図】図２
2006010163.tif 000002
【特許請求の範囲】
【請求項１】
冷蔵庫本体と、この本体の上部に冷蔵食品等を貯蔵する冷蔵室と、前記冷蔵室の下方に設けられた切換室と、前記冷蔵室の下方で切換室に並列配置された製氷及び氷の貯蔵を行う製氷室と、前記冷蔵庫本体下部に設けられた冷凍室と、並列配置された前記製氷室及び前記切換室と冷凍室の間に設けられた、野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び冷蔵室を冷却した冷気を第１の冷却器に戻すための冷蔵室用戻り風路を設けた冷蔵室用ダクトと、前記野菜室と冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記野菜室及び前記冷凍室へ導く吐出風路を内蔵した、前記第２の冷却器の前に設置された冷凍室用ダクトとを備え、前記第１の冷却器で前記冷蔵室を冷却し、前記第２の冷却器で前記製氷室、前記切換室、前記野菜室、及び前記冷凍室に吐出し冷却することを特徴とする冷蔵庫。
【請求項２】
冷蔵庫本体と、この本体の上部に冷蔵食品等を貯蔵する冷蔵室と、前記冷蔵室の下方に設けられた切換室と、前記冷蔵室の下方で切換室に並列配置された製氷及び氷の貯蔵を行う製氷室と、前記冷蔵庫本体下部に設けられた冷凍室と、並列配置された前記製氷室及び前記切換室と冷凍室の間に設けられた、野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び冷蔵室を冷却した冷気を第１の冷却器に戻すための冷蔵室用戻り風路を設けた冷蔵室用ダクトと、前記野菜室と冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記野菜室及び前記冷凍室へ導く吐出風路を内蔵した、前記第２の冷却器の前に設置された冷凍室用ダクトとを備え、前記第１の冷却器で前記冷蔵室を冷却し、前記第２の冷却器で前記製氷室、前記切換室、前記野菜室、及び前記冷凍室に吐出し冷却するものにおいて、野菜室天面に、冷却プレートを設け、前記第２の冷却器の冷気で前記冷却プレートを冷却することを特徴とする冷蔵庫。
【請求項３】
冷蔵庫本体と、この本体の上部に冷蔵食品等を貯蔵する冷蔵室と、前記冷蔵室の下方に設けられた切換室と、前記冷蔵室の下方で切換室に並列配置された製氷及び氷の貯蔵を行う製氷室と、前記冷蔵庫本体下部に設けられた冷凍室と、並列配置された前記製氷室及び前記切換室と冷凍室の間に設けられた、野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び冷蔵室を冷却した冷気を第１の冷却器に戻すための冷蔵室用戻り風路を設けた冷蔵室用ダクトと、前記野菜室と冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記野菜室及び前記冷凍室へ導く吐出風路を内蔵した、前記第２の冷却器の前に設置された冷凍室用ダクトとを備え、前記第１の冷却器で前記冷蔵室を冷却し、前記第２の冷却器で前記製氷室、前記切換室、前記野菜室、及び前記冷凍室に吐出し冷却するものにおいて、野菜室天面に、樹脂ダクトを設け、前記第２の冷却器の冷気で前記ダクトを冷却することを特徴とする冷蔵庫。
【請求項４】
冷蔵庫本体と、この本体の上部に冷蔵食品等を貯蔵する冷蔵室と、前記冷蔵室の下方に設けられた切換室と、前記冷蔵室の下方で切換室に並列配置された製氷及び氷の貯蔵を行う製氷室と、前記冷蔵庫本体下部に設けられた冷凍室と、並列配置された前記製氷室及び前記切換室と冷凍室の間に設けられた、野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び冷蔵室を冷却した冷気を第１の冷却器に戻すための冷蔵室用戻り風路を設けた冷蔵室用ダクトと、前記野菜室と冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記野菜室及び前記冷凍室へ導く吐出風路を内蔵した、前記第２の冷却器の前に設置された冷凍室用ダクトとを備え、前記第１の冷却器で前記冷蔵室を冷却し、前記第２の冷却器で前記製氷室、前記切換室、前記野菜室、及び前記冷凍室に吐出し冷却するものにおいて、野菜室天面に、蓋を設け、前記第２の冷却器の冷気によって野菜ケースの外周を冷却することを特徴とする冷蔵庫。
【請求項５】
前記冷凍室用ダクト内に野菜室用ダンパーと、野菜室にセンサーを備え、前記野菜室センサーにより前記野菜室ダンパーを制御することを特徴とする請求項１から４のいずれか一項に記載の冷蔵庫。
【請求項６】
前記冷蔵庫本体に外気温度センサーを備え、前記野菜室ダンパーを制御することを特徴とする請求項１から５のいずれか一項に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が発売されている（例えば、特許文献１参照）。
【０００３】
図７は、特許文献１に記載された従来の冷蔵庫を示すものである。図７に示すように冷蔵庫本体１０１と、この本体の上部に設けられた冷蔵室１０２と、冷蔵室の下に設けられた切替室１０３と、冷蔵室の下で切替室に並列に設けられた製氷室１０４と、本体下部設けられた冷凍室１０５と、並列に設置された切替室及び製氷室と冷凍室の間に設けられた野菜室１０６と、冷気を生成する冷却器１０７と、冷気を各室に供給するファン装置１０８とを有し、冷凍室に冷気を供給するための冷凍室用送風路１０９と、製氷室に冷気を供給するための製氷用送風路１１０と、製氷室から冷気を冷却室に戻す製氷室用帰還風路１１１と、製氷室用送風路を通る冷気の一部を分流させて、切替室に送る切替室用送風路１１２と、切替室から冷気を冷却器に戻すための切替室用帰還風路１１３と、切替室用送風路を通る冷気の一部を分流させて、冷蔵室に送る冷蔵室用送風路１１４と、冷蔵室に送られた冷気を野菜室に戻すための冷蔵室用帰還風路１１５と、野菜室に送ら冷気を冷却器に戻すための野菜室用帰還風路１１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に設定温度の高い冷蔵室と野菜室に囲まれた製氷室は冷却能力の確保が困難であり、更に夏場冷蔵室の扉開閉が増えた場合、大量の暖湿気が冷却器に付着することにより冷却器の能力が大幅にダウンし、製氷スピードが落ちるという課題を有していた。
【０００５】
また、野菜室は、冷蔵室の戻り冷気で冷却を行うため、野菜室の温度は上昇し野菜室内に貯蔵する野菜等の食品の保鮮性が劣化してしまうという課題を有していた。
【０００６】
本発明は、上記従来の課題を解決するもので、冷蔵室のドア開閉が増加する夏場においても、製氷室の能力を確保し、さらに野菜室内に貯蔵する野菜等の食品の保鮮性を向上する冷蔵庫を提供することを目的とする。
【課題を解決するための手段】
【０００７】
上記従来の課題を解決するために、本発明の冷蔵庫は、冷蔵庫本体の上部に冷蔵食品等を貯蔵する冷蔵室と、冷蔵室の下方に設けられた切換室と、冷蔵室の下方で切換室に並列配置された製氷及び氷の貯蔵を行う製氷室と、冷蔵庫本体下部に設けられた冷凍室と、並列配置した製氷室及び切換室と冷凍室の間に設けられた、野菜類を貯蔵する野菜室と、冷蔵室背面に設置した第１の冷却器と、第１の冷却器と冷蔵室を仕切り、第１の冷却器によって冷却された冷気を冷蔵室に導くための冷蔵室用吐出風路及び冷蔵室を冷却した冷気を第一の冷却器に戻すための冷蔵室用戻り風路を設けた冷蔵室用ダクトと、野菜類を貯蔵する野菜室と冷凍室を仕切り、冷蔵庫本体の発泡充填前に設置した仕切り壁と、製氷室及び切換室及び冷凍室を冷却する野菜室及び製氷室及び切換室の奥に設置した第２の冷却器と、第２の冷却器で冷却された冷気を製氷室及び切換室及び野菜室及び冷凍室へ導く吐出風路を内蔵した、第２の冷却器の前に設置された冷凍室用ダクトとを備えたものである。
【０００８】
これによって、第１の冷却器で冷蔵室のみを冷却し、第２の冷却器で冷蔵室以外の前記製氷室、前記切換室、前記野菜室及び前記冷凍室を冷却するようにしたことにより、夏場冷蔵室のドア開閉が増え冷蔵室に暖湿気が流入しても製氷室を冷却する第２の冷却器は影響を受けず製氷室の能力を確保することができる。
【０００９】
また本発明の冷蔵庫は、冷蔵庫本体と、この本体の上部に冷蔵食品等を貯蔵する冷蔵室と、前記冷蔵室の下方に設けられた切換室と、前記冷蔵室の下方で切換室に並列配置された製氷及び氷の貯蔵を行う製氷室と、前記冷蔵庫本体下部に設けられた冷凍室と、並列配置された前記製氷室及び前記切換室と冷凍室の間に設けられた、野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び冷蔵室を冷却した冷気を第１の冷却器に戻すための冷蔵室用戻り風路を設けた冷蔵室用ダクトと、前記野菜室と冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記野菜室及び前記冷凍室へ導く吐出風路を内蔵した、前記第２の冷却器の前に設置された冷凍室用ダクトとを備え、前記第１の冷却器で前記冷蔵室を冷却し、前記第２の冷却器で前記製氷室、前記切換室、前記野菜室、及び前記冷凍室を冷却するものにおいて、野菜室天面に、冷却プレートを備えたことを特徴とするものである。
【００１０】
これによって、野菜室に直接冷気を循環させることなく、野菜室天面に設置される冷却プレートの冷気からの熱伝達により間接的に野菜室内を冷却するため、野菜室内を高湿度に保つことができ、野菜室内に貯蔵する野菜等の食品の保鮮性を向上させることができる。
【発明の効果】
【００１１】
本発明の冷蔵庫は第１の冷却器で冷蔵室のみを冷却し、第２の冷却器で冷蔵室以外の前記製氷室、前記切換室、前記野菜室及び前記冷凍室を冷却するようにしたことにより、夏場冷蔵室のドア開閉が増え冷蔵室に暖湿気が流入しても製氷室を冷却する第２の冷却器は影響を受けず製氷室の能力を確保することができる。
【００１２】
また本発明の冷蔵庫は、野菜室に直接冷気を循環させることなく、野菜室天面に設置される冷却プレートの冷気からの熱伝達により間接的に野菜室内を冷却するため、野菜室内を高湿度に保つことができ、野菜室内に貯蔵する野菜等の食品の保鮮性を向上させることができる。
【発明を実施するための最良の形態】
【００１３】
請求項１に記載の発明は、冷蔵庫本体と、この本体の上部に冷蔵食品等を貯蔵する冷蔵室と、冷蔵室の下方に設けられた切換室と、冷蔵室の下方で切換室に並列配置された製氷及び氷の貯蔵を行う製氷室と、冷蔵庫本体下部に設けられた冷凍室と、並列配置した製氷室及び切換室と冷凍室の間に設けられた、野菜類を貯蔵する野菜室と、冷蔵室背面に設置した第１の冷却器と、第１の冷却器と冷蔵室を仕切り、第１の冷却器によって冷却された冷気を冷蔵室に導くための冷蔵室用吐出風路及び冷蔵室を冷却した冷気を第一の冷却器に戻すための冷蔵室用戻り風路を設けた冷蔵室用ダクトと、野菜室と冷凍室を仕切り、冷蔵庫本体の発泡充填前に設置した仕切り壁と、製氷室及び切換凍室及び冷凍室を冷却する野菜室及び製氷室及び切換室の奥に設置した第２の冷却器と、第２の冷却器で冷却された冷気を製氷室及び切換室及び野菜室及び冷凍室へ導く吐出風路を内蔵した、第２の冷却器の前に設置された冷凍室用ダクトとを備えたものであり、第１の冷却器で冷蔵室のみを冷却し、第２の冷却器で冷蔵室以外の前記製氷室、切換室、及び冷凍室を冷却するようにしたことにより、夏場冷蔵室のドア開閉が増え冷蔵室に暖湿気が流入しても製氷室を冷却する第２の冷却器は影響を受けず製氷室の能力を確保することができる。
【００１４】
請求項２記載の発明は、冷蔵庫本体と、この本体の上部に冷蔵食品等を貯蔵する冷蔵室と、前記冷蔵室の下方に設けられた切換室と、前記冷蔵室の下方で切換室に並列配置された製氷及び氷の貯蔵を行う製氷室と、前記冷蔵庫本体下部に設けられた冷凍室と、並列配置された前記製氷室及び前記切換室と冷凍室の間に設けられた、野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び冷蔵室を冷却した冷気を第１の冷却器に戻すための冷蔵室用戻り風路を設けた冷蔵室用ダクトと、前記野菜室と冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記野菜室及び前記冷凍室へ導く吐出風路を内蔵した、前記第２の冷却器の前に設置された冷凍室用ダクトとを備え、前記第１の冷却器で前記冷蔵室を冷却し、前記第２の冷却器で前記製氷室、前記切換室、前記野菜室、及び前記冷凍室に吐出し冷却するものにおいて、野菜室天面に、冷却プレートを設け、前記第２の冷却器の冷気で前記冷却プレートを冷却するものであり、夏場冷蔵室のドア開閉が増え冷蔵室に暖湿気が流入しても製氷室を冷却する第２の冷却器は影響を受けず製氷室の能力を確保することができる。さらに、野菜室天面に、冷却プレートを備えたことにより、野菜室に直接冷気を循環させることなく、野菜室天面に設置される冷却プレートの冷気からの熱伝達により間接的に野菜室内を冷却するため、野菜室内を高湿度に保つことができ、野菜室内に貯蔵する野菜等の食品の保鮮性を向上させることができる。
【００１５】
請求項３記載の発明は、冷蔵庫本体と、この本体の上部に冷蔵食品等を貯蔵する冷蔵室と、前記冷蔵室の下方に設けられた切換室と、前記冷蔵室の下方で切換室に並列配置された製氷及び氷の貯蔵を行う製氷室と、前記冷蔵庫本体下部に設けられた冷凍室と、並列配置された前記製氷室及び前記切換室と冷凍室の間に設けられた、野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び冷蔵室を冷却した冷気を第１の冷却器に戻すための冷蔵室用戻り風路を設けた冷蔵室用ダクトと、前記野菜室と冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記野菜室及び前記冷凍室へ導く吐出風路を内蔵した、前記第２の冷却器の前に設置された冷凍室用ダクトとを備え、前記第１の冷却器で前記冷蔵室を冷却し、前記第２の冷却器で前記製氷室、前記切換室、前記野菜室、及び前記冷凍室に吐出し冷却するものにおいて、野菜室天面に、樹脂ダクトを設け、前記第２の冷却器の冷気で前記ダクトを冷却するものであり、野菜室天面を通過する冷気の冷熱を樹脂ダクトを介して効率良く野菜室内に伝えることができ、野菜室内に貯蔵する野菜等の食品の保鮮性を向上させることができる。
【００１６】
請求項４記載の発明は、冷蔵庫本体と、この本体の上部に冷蔵食品等を貯蔵する冷蔵室と、前記冷蔵室の下方に設けられた切換室と、前記冷蔵室の下方で切換室に並列配置された製氷及び氷の貯蔵を行う製氷室と、前記冷蔵庫本体下部に設けられた冷凍室と、並列配置された前記製氷室及び前記切換室と冷凍室の間に設けられた、野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び冷蔵室を冷却した冷気を第１の冷却器に戻すための冷蔵室用戻り風路を設けた冷蔵室用ダクトと、前記野菜室と冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記野菜室及び前記冷凍室へ導く吐出風路を内蔵した、前記第２の冷却器の前に設置された冷凍室用ダクトとを備え、前記第１の冷却器で前記冷蔵室を冷却し、前記第２の冷却器で前記製氷室、前記切換室、前記野菜室、及び前記冷凍室に吐出し冷却するものにおいて、野菜室天面に、蓋を設け、前記第２の冷却器の冷気によって野菜ケースの外周を冷却するものであり、野菜ケース外周を冷却することで、間接的に野菜室内を冷却するため、野菜室内を高湿度に保つことができ、野菜室内に貯蔵する野菜等の食品の保鮮性を向上させることができる。
【００１７】
請求項５記載の発明は、請求項１から４のいずれか一項に記載の発明において、前記冷凍室用ダクト内に野菜室用ダンパーと、野菜室にセンサーを備え、前記野菜室センサーにより前記野菜室ダンパーを制御するものであり、野菜室に投入する冷気を最小限に抑えるため、野菜室内を高湿度に保つことができ、野菜室内に貯蔵する野菜等の食品の保鮮性を向上させることができる。
【００１８】
請求項６記載の発明は、請求項１から５のいずれか一項に記載の発明において、前記冷蔵庫本体に外気温度センサーを備え、前記野菜室ダンパーを制御するものであり、低外気温時には野菜室に投入する冷気を最小限に抑えるため、野菜室内を高湿度に保つことができ、野菜室内に貯蔵する野菜等の食品の保鮮性を向上させることができる。さらに、高外気温時には野菜室に投入する冷気を増加し、野菜室内の温度を低減することができる。
【００１９】
以下、本発明の実施の形態について、図面を参照しながら説明する。なお、この実施の形態によってこの発明が限定されるものではない。
【００２０】
（実施の形態１）
図１は本発明の実施の形態１による冷蔵庫の正面図である。図２は本発明の実施の形態１による冷蔵庫の風路図である。図３は本発明の実施の形態１における断面図である。
【００２１】
図１において１は冷蔵庫本体であり、最上部に冷蔵室２と、冷蔵室２との下方に切換室３と、並列配置された製氷及び氷の貯蔵を行う製氷室４と、本体下部に設けられた冷凍室５と、並列配置した製氷室４及び切換室３と冷凍室５の間に設けられた、野菜類を貯蔵する野菜室６を有する。
【００２２】
図２、３において、１７は第１の冷却器であり冷蔵室背面に設置される。１８は冷蔵室冷却用ダクトであり第１の冷却器１７と冷蔵室２を仕切り、第１の冷却器１７によって冷却された冷気を冷蔵室２に導くための冷蔵室用吐出風路１８ａ及び冷蔵室２を冷却した冷気を第一の冷却器１７に戻すための冷蔵室用戻り風路１８ｂを有する。１９は冷蔵室用冷却ファンであり第１の冷却器１７で発生した冷気を循環させる。２０は、第２の冷却器であり、野菜室６及び製氷室４及び切換室３の奥に設置され、製氷室４及び切換室３及び冷凍室５及び野菜室６を冷却する。２１は仕切り壁であり野菜室６と冷凍室５を仕切り、冷蔵庫本体１の発泡充填前に設置されている。２２は冷凍室用ダクトであり、第２の冷却器２０で冷却された冷気を製氷室４及び切換室３及び冷凍室５及び野菜室６へ導く冷凍系吐出風路２２ａ及び冷凍系戻り風路２２ｂを内蔵しており、第２の冷却器２０の前に設置される。２３は冷凍室用冷却ファンであり、第２の冷却器２０で発生した冷気を循環させる。６ａは野菜室吐出口であり、２７はダンパーであり、冷凍系吐出風路２２ａに内蔵しており、２８はセンサーであり野菜室６内に設置しており、２９は外気温度センサーであり、冷蔵庫本体１の外表面に設置されており、センサー２８と外気温度センサー２９の変化によりダンパー２７を制御させ野菜室吐出口から冷気を循環させる。
【００２３】
以上のように構成された冷蔵庫について、以下その動作、作用について説明する。第１の冷却器１７によって発生した冷気は、冷蔵室用ダクト１８の冷蔵室用吐出風路１８ａに導かれ冷蔵室２に供給される。冷蔵室２を冷却した冷気は冷蔵室用ダクト１８の冷蔵室用戻り風路１８ｂに導かれ第１の冷却器１７に帰還する。
【００２４】
また、第２の冷却器２０によって発生した冷気は冷凍室用ダクト２２の冷凍系吐出風路２２ａに導かれ製氷室４及び切換室３及び冷凍室５及び、ダンパー２７を介して切換室３及び野菜室６に供給され各部屋はセンサー２８によって制御され、各庫内を所定の温度に冷却し、冷凍室用ダクト２２の冷凍系戻り風路２２ｂに導かれ第２の冷却器２０に帰還する。
【００２５】
以上のように本実施の形態においては、最上部に冷蔵室２と、冷蔵室２との下方に切替室３と、並列配置された製氷及び氷の貯蔵を行う製氷室４と、本体下部に設けられた冷凍室５と、並列配置した製氷室４及び切替室３と冷凍室５の間に設けられた野菜類を貯蔵する野菜室６とを有し、冷蔵室２の背面に第１の冷却器１７を、野菜室６及び製氷室４及び切替室３の奥に第２の冷却器２０を設置したものにおいて、第１の冷却器１７で冷蔵室２のみを冷却し、第２の冷却器２０で冷蔵室以外の製氷室４、切替室３、冷凍室５及び野菜室６を冷却し、野菜室６においては、センサー２８と外気温度センサー２９の変化によりダンパー２７を制御させ野菜室吐出口から冷気を制御することで、野菜室６を精度よく、すばやく冷却することができる。そして、夏場に冷蔵室２のドア開閉が増え冷蔵室２に暖湿気が流入しても製氷室４を冷却する第２の冷却器２０は影響を受けず製氷室４の能力を確保することができる。
【００２６】
（実施の形態２）
図１は本発明の実施の形態２による冷蔵庫の正面図である。図４は本発明の実施の形態２による冷蔵庫の断面図である。
【００２７】
図１の説明は実施の形態１と同様であるため省略する。
【００２８】
図４において、２４は冷却プレートであり、野菜室６の天面上部に設置され、第２の冷却器２０からの吐出冷気で冷却プレート２４を冷却し、野菜室６を間接的に冷却する。
【００２９】
以上のように本実施の形態においては、第１の冷却器１７で冷蔵室２のみを冷却し、第２の冷却器２０で冷蔵室以外の製氷室４、切替室３、冷凍室５及び野菜室６を冷却するようにしたことにより、夏場に冷蔵室２のドア開閉が増え、冷蔵室２に暖湿気が流入しても製氷室４を冷却する第２の冷却器２０は影響を受けず製氷室４の能力を確保することができる。さらに、冷却プレート２４を冷やすことで、野菜室６の冷却を行い、野菜室６に直接冷気を循環させないことで、野菜室６の湿度の低下を防止し、野菜室６内に貯蔵する野菜等の食品の保鮮性を向上させることができる。
【００３０】
（実施の形態３）
図１は本発明の実施の形態３による冷蔵庫の正面図である。図５は本発明の実施の形態３による冷蔵庫の断面図である。
【００３１】
図１の説明は実施の形態１と同様であるため省略する。
【００３２】
図５において、２５は樹脂ダクトであり、野菜室６の上部に設置され、第２の冷却器２０からの吐出冷気を樹脂ダクト２５内に流して、樹脂ダクト２５を介して野菜室６を間接的に冷却する。
【００３３】
以上のように本実施の形態においては第１の冷却器１７で冷蔵室２のみを冷却し、第２の冷却器２０で冷蔵室以外の製氷室４、切替室３、冷凍室５及び野菜室６を冷却するようにしたことにより、夏場に冷蔵室２のドア開閉が増え、冷蔵室２に暖湿気が流入しても製氷室４を冷却する第２の冷却器２０は影響を受けず製氷室の能力を確保することができる。さらに、野菜室６に直接冷気を入れず、樹脂ダクト２５を介して野菜室６を冷やすことで、野菜室の湿度の低下を防止し、野菜室内に貯蔵する野菜等の食品の保鮮性を向上させることができる。
【００３４】
（実施の形態４）
図１は本発明の実施の形態４による冷蔵庫の正面図である。図６は本発明の実施の形態４による冷蔵庫の断面図である。
【００３５】
図１の説明は実施の形態１と同様であるため省略する。
【００３６】
図６において、２６は蓋であり、野菜室６に設けた野菜ケース（図示せず）の上部に設置され、第２の冷却器２０からの吐出冷気を蓋２６と野菜ケースの外周に流して、野菜室６を間接的に冷却する。
【００３７】
以上のように本実施の形態においては第１の冷却器１７で冷蔵室２のみを冷却し、第２の冷却器２０で冷蔵室以外の製氷室４、切替室３、冷凍室５及び野菜室６を冷却するようにしたことにより、夏場に冷蔵室２のドア開閉が増え、冷蔵室２に暖湿気が流入しても製氷室４を冷却する第２の冷却器２０は影響を受けず製氷室の能力を確保することができる。さらに、野菜室６の野菜ケースの上部に蓋２６を取り付け、野菜室６の冷却を野菜ケースの外周から間接的に行い、野菜室６に直接冷気を循環させないことで、野菜室６の湿度の低下を防止し、野菜室６内に貯蔵する野菜等の食品の保鮮性を向上させることができる。
【産業上の利用可能性】
【００３８】
以上のように、本発明にかかる冷蔵庫は、第１の冷却器で冷蔵室のみを冷却し、第２の冷却器で冷蔵室以外の製氷室、切換室、野菜室、冷凍室を冷却するようにしたことにより、夏場冷蔵室のドア開閉が増え冷蔵室に暖湿気が流入しても製氷室を冷却する第２の冷却器は影響を受けず製氷室の能力を確保することができ、さらに野菜室の温度を低減することができ、野菜室内に貯蔵する野菜等の食品の保鮮性を向上させることが可能となるので、冷凍機器全般の冷却方法の用途にも適用できる。
【図面の簡単な説明】
【００３９】
【図１】本発明による冷蔵庫の実施の形態１を説明する冷蔵庫正面図
【図２】本発明による冷蔵庫の実施の形態１を説明する冷蔵庫風路正面図
【図３】本発明による冷蔵庫の実施の形態１を説明する冷蔵庫断面図
【図４】本発明による冷蔵庫の実施の形態２を説明する冷蔵庫断面図
【図５】本発明による冷蔵庫の実施の形態３を説明する冷蔵庫断面図
【図６】本発明による冷蔵庫の実施の形態４を説明する冷蔵庫断面図
【図７】従来の冷蔵庫の冷蔵庫風路正面図
【符号の説明】
【００４０】
１    冷蔵庫本体
２    冷蔵室
３    切替室
４    製氷室
５    冷凍室
６    野菜室
６ａ  野菜室吐出口
１７  第１の冷却器
１８  冷蔵室冷却用ダクト
２０  第２の冷却器
２１  仕切り壁
２２  冷凍室用ダクト
２４  冷却プレート
２５  樹脂ダクト
２６  蓋
２７  ダンパー
２８  センサー
２９  外気温度センサー
【図１】
2006010163.tif 000003
【図２】
2006010163.tif 000004
【図３】
2006010163.tif 000005
【図４】
2006010163.tif 000006
【図５】
2006010163.tif 000007
【図６】
2006010163.tif 000008
【図７】
2006010163.tif 000009